(57)【要約】本発明は、セルがＵＥからフィードバックされた下りチャネルのパラメータを受信することと、下りチャネルパラメータにより上りチャネルと下りチャネルとのパラメータ差を計算することと、パラメータ差によりマルチアクセスポイントに対して校正を行うこととを含むマルチアクセスポイントの校正方法及び装置が開示されている。本発明によると、アクセスポイント間の良好なコヒーレント送信が確保され、さらにシステム性能が確保されている。【選択図】図１
2014531171.tif 000002
【特許請求の範囲】
【請求項１】
マルチアクセスポイントの校正方法であって、
セルが、ユーザ機器ＵＥからフィードバックされたマルチアクセスポイントの下りチャネルの、時間、位相、幅、時間と幅、位相と幅の少なくとも１つを含むパラメータを受信することと、
前記下りチャネルのパラメータにより、前記マルチアクセスポイントの上りチャネルと前記下りチャネルのパラメータ差を計算することと、
前記パラメータ差によりマルチアクセスポイントに対して校正を行うことと
を含る。
【請求項２】
クレーム１に記載の方法であって、セルがＵＥからフィードバックされた下りチャネルのパラメータを受信する前に、さらに、前記セルが、前記下りチャネルを測定するように前記ＵＥを配置することを含む。
【請求項３】
クレーム２に記載の方法であって、前記セルが前記下りチャネルを測定するように前記ＵＥを配置することは、前記マルチアクセスポイントが自分校正を行っていない場合、前記セルが、あらゆるアンテナポートの下りチャネルを測定するように前記ＵＥを配置することを含む。
【請求項４】
クレーム３に記載の方法であって、セルがＵＥからフィードバックされた下りチャネルのパラメータを受信することは、前記セルが前記ＵＥにより、コードブックに定量化する、下りチャネル行列自身をフィードバックする、及び下りチャネル行列の主な特徴情報をフィードバックするという方式の一つを介し、前記あらゆるアンテナポートの下りチャネルのパラメータを受信することを含む。
【請求項５】
クレーム３に記載の方法であって、前記下りチャネルパラメータにより、上りチャネルと前記下りチャネルのパラメータの差を計算することは、
前記セルが前記あらゆるアンテナポートの上りチャネルのパラメータを測定することと、
前記セルが前記あらゆるアンテナポートの上りチャネルのパラメータ及び前記あらゆるアンテナポートの下りチャネルのパラメータにより、前記上りチャネルと前記下りチャネルのパラメータの差を計算することとを含む。
【請求項６】
クレーム２に記載の方法であって、前記セルが前記下りチャネルを測定するように前記ＵＥを配置することは、前記マルチアクセスポイントがすでに自分校正を行っていた場合、前記セルが、前記マルチアクセスポイントにおける各アクセスポイントのあらゆるアンテナポートの一つ以上のアンテナポートの下りチャネルを測定するように前記ＵＥを配置することを含む。
【請求項７】
クレーム６に記載の方法であって、セルが受信したＵＥからフィードバックされた下りチャネルのパラメータは、前記セルが前記ＵＥを、前記各アクセスポイントのあらゆるアンテナポートにおける一つのアンテナポートの下りチャネルを測定するように配置する場合、前記セルが前記ＵＥにより、下りチャネル行列自身をフィードバックする、下りチャネル行列の主な特徴情報をフィードバックする、単一ポートの下りチャネルの位相をフィードバックするという方式の一つを介し、フィードバックした前記アンテナポートの下りチャネルのパラメータを受信する。
【請求項８】
クレーム６に記載の方法であって、前記下りチャネルパラメータにより、上りチャネルと前記下りチャネルのパラメータの差を計算することは、
前記セルが前記各アクセスポイントの前記一つ以上のアンテナポートの上りチャネルのパラメータを測定することと、
前記セルが前記各アクセスポイントの前記一つ以上のアンテナポートの上りチャネルのパラメータ及び前記各アクセスポイントの前記一つ以上のアンテナポートの下りチャネルのパラメータにより、前記上りチャネルと前記下りチャネルのパラメータ差を計算することとを含む。
【請求項９】
クレーム８に記載の方法であって、前記セルが前記各アクセスポイントの前記一つ以上のアンテナポートの上りチャネルのパラメータを測定することは、
前記セルが前記下りチャネルの下り信号に近接する時刻に送信された信号を、前記上りチャネルの上り信号とすることと、
前記セルが当該上り信号を測定し、前記各アクセスポイントの前記一つ以上のアンテナポートの上りチャネルのパラメータを得ることとを含む。
【請求項１０】
クレーム８に記載の方法であって、前記セルが前記各アクセスポイントの前記一つ以上のアンテナポートの上りチャネルのパラメータを測定することは、前記セルが同一時刻で同一ＵＥが前記各アクセスポイントの前記一つ以上のアンテナポートにおける上りチャネルのパラメータを測定することを含む。
【請求項１１】
クレーム８に記載の方法であって、前記セルが前記各アクセスポイントの前記一つ以上のアンテナポートの上りチャネルのパラメータを測定するは、前記各アクセスポイントの、上がりチャネルに対する処理方法が同じであることを含む。
【請求項１２】
クレーム８に記載の方法であって、前記セルが前記各アクセスポイントの前記一つ以上のアンテナポートの上りチャネルのパラメータ及び前記各アクセスポイントの前記一つ以上のアンテナポートの下りチャネルのパラメータにより、前記上りチャネルと前記下りチャネルのパラメータ差を計算することは、
前記ＵＥが下りチャネル行列自身或いは下りチャネル行列の主な特徴情報をフィードバックすることにより、前記アンテナポートの下りチャネルのパラメータをフィードバックする場合、前記セルが前記各アクセスポイントの前記一つ以上のアンテナポートを指示するための上りチャネルのパラメータの上りチャネル行列を転置して、同等な下りチャネル行列を得ることと、
前記セルが前記同等な下りチャネル行列と前記ＵＥがフィードバックした下りチャネル行列とを比較することと、
前記セルが前記比較の結果により、前記上りチャネルと前記下りチャネルのパラメータ差を計算することとを含む。
【請求項１３】
クレーム８に記載の方法であって、前記セルが前記各アクセスポイントの前記一つ以上のアンテナポートの上りチャネルのパラメータ及び前記各アクセスポイントの前記一つ以上のアンテナポートの下りチャネルのパラメータにより、前記上りチャネルと前記下りチャネルのパラメータ差を計算することは、
前記ＵＥがコードブックに定量化することにより、前記アンテナポートの下りチャネルのパラメータをフィードバックする場合、前記セルが前記各アクセスポイントの前記一つ以上のアンテナポートを指示するための上りチャネルのパラメータの上りチャネル行列を転置して、同等な下りチャネル行列を得ることと、
前記セルが前記同等な下りチャネル行列に基づき、定量化したコードブックを計算することと、
前記セルが、前記ＵＥによりフィードバックされたコードブックと前記セルにより同等な下りチャネル行列に基づき計算して得られるコードブックとを比較することと、
前記セルが、前記比較の結果により、前記上りチャネルと前記下りチャネルのパラメータ差を計算することとを含む。
【請求項１４】
クレーム８に記載の方法であって、前記セルが前記各アクセスポイントの前記一つ以上のアンテナポートの上りチャネルのパラメータ及び前記各アクセスポイントの前記一つ以上のアンテナポートの下りチャネルのパラメータにより、前記上りチャネルと前記下りチャネルのパラメータ差を計算することは、前記セルが前記各アクセスポイントに対して一つの上りチャネルと下りチャネルのパラメータ差のみを計算することを含む。
【請求項１５】
クレーム２に記載の方法であって、前記セルが前記下りチャネルを測定するように前記ＵＥを配置することは、前記マルチアクセスポイントがすでに自分校正を行っていた場合、前記セルが前記ＵＥを前記マルチアクセスポイントにおけるあらゆるアンテナポートの一つ以上のアンテナポートの下りチャネルを測定するように配置することを含む。
【請求項１６】
クレーム１５に記載の方法であって、前記セルが前記マルチアクセスポイントのあらゆるアンテナポートにおける一つ以上のアンテナポートの下りチャネルを測定するように前記ＵＥを配置することは、前記セルが前記ＵＥを、プリコーディング情報を測定することを含み、前記プリコーディング情報は前記ＵＥが自身と前記複数のアクセスポイントとの間のチャネルにより計算して得られるもので、前記チャネルは前記複数のアクセスポイントが送信した下り基準信号により測定して得られるものである。
【請求項１７】
クレーム１６に記載の方法であって、前記下りチャネルのパラメータにより、前記マルチアクセスポイントの上りチャネルと前記下りチャネルとのパラメータ差を計算する前に、さらに、
前記セルが上り基準信号により前記ＵＥと前記マルチアクセスポイントとの間の上りチャネルのパラメータを得ることと、
前記セルが前記上りチャネルと、チャネルの異質性により前記下りチャネルのパラメータを得ることとを含む。
【請求項１８】
クレーム１７に記載の方法であって、前記下りチャネルのパラメータにより、前記マルチアクセスポイントの上りチャネルと前記下りチャネルのパラメータ差を計算することは、前記プリコーディング情報と、チャネル異質性を利用して得られた下りチャネルのパラメータにより、前記マルチアクセスポイントの上りチャネルと前記下りチャネルのパラメータ差を計算することを含む。
【請求項１９】
クレーム１６乃至１８におけるいずれか一項に記載の方法であって、所述下りチャネルのパラメータにより、前記マルチアクセスポイントの上りチャネルと前記下りチャネルとのパラメータ差を計算することは、
可能なパラメータ差の範囲から、第一パラメータ差と第二パラメータ差を選択して、前記第一パラメータ差に対応する第一校正後の下りチャネルと前記第二パラメータ差に対応する第二校正後の下りチャネルとをそれぞれ得るステップＡと、
前記第一校正後の下りチャネルと前記第二校正後の下りチャネルの中で、前記プリコーディング情報に基づき、前記第一校正後の下りチャネルが真実の下りチャネルに近い下りチャネルを決定するステップＢと、
前記第一パラメータ差を計算するパラメータ差として決定するステップＣと、
ステップＡ乃至ステップＣを繰り返して、前記計算するパラメータ差を得ることとを含む。
【請求項２０】
クレーム１６に記載の方法であって、前記セルがプリコーディング情報を測定するように配置することは、前記セルがＰＭＩを測定するように前記ＵＥを配置することを含み、前記ＰＭＩは前記ＵＥが自身と同一セルの前記複数のアクセスポイントとの間のチャネルにより計算して得られるもので、前記チャネルは前記複数のアクセスポイントが送信したＣＲＳにより測定して得られるものである。
【請求項２１】
クレーム２０に記載の方法であって、前記下りチャネルのパラメータにより、前記マルチアクセスポイントの上りチャネルと前記下りチャネルのパラメータ差を計算する前に、さらに、
前記セルが上り傍受信号ＳＲＳにより前記ＵＥと前記マルチアクセスポイントとの間の上りチャネルのパラメータを得ることと、
前記セルが前記上りチャネルにより、チャネルの異質性を利用して、前記下りチャネルのパラメータを得ることとを含む。
【請求項２２】
クレーム２１に記載の方法であって、前記下りチャネルのパラメータにより、前記マルチアクセスポイントの上りチャネルと前記下りチャネルのパラメータ差を計算することは、前記ＰＭＩと、チャネル異質性により得られた下りチャネルのパラメータにより、前記マルチアクセスポイントの上りチャネルと前記下りチャネルのパラメータ差を計算することを含む。
【請求項２３】
クレーム２０乃至２２におけるいずれか一項に記載の方法であって、所述下りチャネルのパラメータにより、前記マルチアクセスポイントの上りチャネルと前記下りチャネルとのパラメータ差を計算することは、
可能なパラメータ差の範囲から、第一パラメータ差と第二パラメータ差を選択して、前記第一パラメータ差に対応する第一校正後の下りチャネルと前記第二パラメータ差に対応する第二校正後の下りチャネルとをそれぞれ得るステップＡと、
前記第一校正後の下りチャネルと前記第二校正後の下りチャネルの中で、前記ＰＭＩに基づき、前記第一校正後の下りチャネルが真実の下りチャネルに近い下りチャネルを決定するステップＢと、
前記第一パラメータ差を計算するパラメータ差として決定するステップＣと、
ステップＡ乃至ステップＣを繰り返して、前記計算するパラメータ差を得ることとを含む。
【請求項２４】
マルチアクセスポイントの校正装置であって、
ユーザ機器ＵＥからフィードバックされた下りチャネルのパラメータを受信する受信モジュールと、
前記下りチャネルパラメータにより、上りチャネルと前記下りチャネルとのパラメータ差を計算する計算モジュールと、
前記パラメータ差によりマルチアクセスポイントに対して校正を行う校正モジュールと、
を含むマルチアクセスポイントの校正装置。
【発明の詳細な説明】
【技術分野】
【０００１】
本発明は通信分野に関し、具体的には、マルチアクセスポイント校正方法及び装置に関する。
【背景技術】
【０００２】
将来の通信に対する要求が絶えず高まっていることにともない、セルエッジスペクトル能率が一層重要視されて、如何にしてセルエッジの伝送品質とスループットを向上させるかは広く研究されている課題になっている。協調マルチポイント（Ｃｏｏｒｄｉｎａｔｅｄ  Ｍｕｌｔｉ−Ｐｏｉｎｔ、ＣｏＭＰと略称）技術は、複数のアクセスポイントのアンテナ協調伝送と受信を利用し、一つのセルに一つ以上のアクセスポイントを設け、ＣｏＭＰ協調の複数のポイントが一つのセルからの複数のアクセスポイントでもよいし、複数のセルからの複数のアクセスポイントでもよく、セルは端末のプライマーセルと協調セルを含む。ＣｏＭＰはセルエッジの干渉を効果的に解決することができ、無線リンクの容量と信頼度を向上させているため、ＣｏＭＰ技術は重要な技術として、ＬＴＥ−Ａシステムに導入されている。
【発明の概要】
【発明が解決しようとする課題】
【０００３】
ＣｏＭＰシステム時分割複信（Ｔｉｍｅ  Ｄｉｖｉｓｉｏｎ  Ｄｕｌｐｅｘｉｎｇ、ＴＤＤと略称）モードにおいて、リモードラジオユニット（Ｒｅｍｏｔｅ  Ｒａｄｉｏ  Ｕｎｉｔ、ＲＲＵと略称）の上がり・下りパラメータ（重要なパラメータは位相）の差は異なる、即ちアンテナ校正の結果は：
2014531171.tif 000003
（Ｃは上がり・下り偏差のある複素スカラー）である。ｃは単一アクセスポイントに対して影響がないが、異なるアクセスポイント間のｃが異なるため、異なるアクセスポイント間には、残された複素ｃの差による位相差があり、異なるアクセスポイント共同送信（Ｊｏｉｎｔ  Ｔｒａｎｓｍｉｓｓｉｏｎ、ＪＴと略称）されるデ−タの相互間に位相差が生じ、アクセスポイントの間では、良好なコヒーレント送信を行うことができず、システム性能の低減になってしまう。
【課題を解決するための手段】
【０００４】
本発明は、異なるアクセスポイントにより共同送信されるデ−タが互いにパラメータ差があることによりアクセスポイント間での良好なコヒーレント送信ができず、システム性能の低減になるという課題を少なくとも解決するために、マルチアクセスポイント校正方法及び装置を提供する。
【０００５】
本発明の実施例はマルチアクセスポイント校正方法を提供する。セルがユーザ機器ＵＥからフィードバックされたマルチアクセスポイントの下りチャネルのパラメータを受信することと、下りチャネルのパラメータにより、マルチアクセスポイントの上りチャネルと下りチャネルのパラメータ差を計算することと、パラメータ差によりマルチアクセスポイントに対して校正を行うこととを含み、前記パラメータは、時間、位相、幅、時間と幅、位相と幅の少なくとも１つを含む。
【０００６】
セルがＵＥからフィードバックされた下りチャネルのパラメータを受信する前に、さらに、セルが下りチャネルを測定するようにＵＥを配置することを含む。
【０００７】
セルが下りチャネルを測定するようにＵＥを配置することは、マルチアクセスポイントが自分校正を行っていない場合、セルがあらゆるアンテナポートの下りチャネルを測定するようにＵＥを配置することである。
【０００８】
セルがＵＥからフィードバックされた下りチャネルのパラメータを受信することは、セルがＵＥにより、コードブックに定量化する、下りチャネル行列自身をフィードバックする、及び下りチャネル行列の主な特徴情報をフィードバックするという方式の一つを介しあらゆるアンテナポートの下りチャネルのパラメータをフィードバックすることを含む。
【０００９】
下りチャネルパラメータにより、上りチャネルと下りチャネルのパラメータ差を計算することは、セルがあらゆるアンテナポートの上りチャネルのパラメータを測定することと、セルがあらゆるアンテナポートの上りチャネルのパラメータ及びあらゆるアンテナポート下りチャネルのパラメータにより上りチャネルと下りチャネルのパラメータ差を計算することとを含む。
【００１０】
セルが下りチャネルを測定するようにＵＥを配置することは、マルチアクセスポイントがすでに自分校正が行われた場合、セルがマルチアクセスポイントにおける各アクセスポイントのあらゆるアンテナポートにおける一つ以上のアンテナポートの下りチャネルを測定するようにＵＥを配置することを含む。
【００１１】
セルが受信したＵＥからフィードバックされた下りチャネルのパラメータは、セルがＵＥを各アクセスポイントのあらゆるアンテナポートにおける一つのアンテナポートの下りチャネルを測定するように配置する場合、セルがＵＥにより、下りチャネル行列自身をフィードバックする、下りチャネル行列の主な特徴情報をフィードバックする、単一ポートの下りチャネルの位相をフィードバックするという方式の一つを介し、フィードバックしたアンテナポートの下りチャネルのパラメータを含む。
【００１２】
下りチャネルパラメータにより、上りチャネルと下りチャネルのパラメータ差を計算することは、セルが各アクセスポイントの一つ以上のアンテナポートの上りチャネルのパラメータを測定することと、セルが各アクセスポイントの一つ以上のアンテナポートの上りチャネルのパラメータ及び各アクセスポイントの一つ以上のアンテナポートの下りチャネルのパラメータにより、上りチャネルと下りチャネルのパラメータ差を計算することとを含む。
【００１３】
セルが各アクセスポイントの一つ以上のアンテナポートの上りチャネルのパラメータを測定することは、セルが下りチャネルの下り信号に近接する時刻に送信された信号を上りチャネルの上り信号とすることと、セルが当該上り信号を測定し、各アクセスポイントの一つ以上のアンテナポートの上りチャネルのパラメータを得ることとを含む。
【００１４】
セルが各アクセスポイントの一つ以上のアンテナポートの上りチャネルのパラメータを測定することは、セルが同一時刻で同一ＵＥが各アクセスポイントの一つ以上のアンテナポートにおける上りチャネルのパラメータを測定することを含む。
【００１５】
セルが各アクセスポイントの一つ以上のアンテナポートの上りチャネルのパラメータを測定するは、各アクセスポイントの、上がりチャネルに対する処理方法が同じであることを含む。
【００１６】
セルが各アクセスポイントの一つ以上のアンテナポートの上りチャネルのパラメータ及び各アクセスポイントの一つ以上のアンテナポートの下りチャネルのパラメータにより、上りチャネルと下りチャネルのパラメータ差を計算することは、ＵＥが、下りチャネル行列自身或いは下りチャネル行列の主な特徴情報をフィードバックすることにより、アンテナポートの下りチャネルのパラメータをフィードバックする場合、セルが各アクセスポイントの一つ以上のアンテナポートを指示するための上りチャネルのパラメータの上りチャネル行列を転置して、同等な下りチャネル行列を得ることと、セルが同等な下りチャネル行列とＵＥがフィードバックした下りチャネル行列とを比較することと、セルが比較の結果により、上りチャネルと下りチャネルのパラメータ差を計算することとを含む。
【００１７】
セルが各アクセスポイントの一つ以上のアンテナポートの上りチャネルのパラメータ及び各アクセスポイントの一つ以上のアンテナポートの下りチャネルのパラメータにより、上りチャネルと下りチャネルのパラメータの差を計算することは、ＵＥがコードブックに定量化することにより、アンテナポートの下りチャネルのパラメータをフィードバックする場合、セルが各アクセスポイントの一つ以上のアンテナポートを指示するための上りチャネルのパラメータの上りチャネル行列を転置して、同等な下りチャネル行列を得ることと、セルが同等な下りチャネル行列に基づき定量化したコードブックを計算することと、セルがＵＥによりフィードバックされたコードブックとセルにより同等な下りチャネル行列に基づき計算して得られるコードブックとを比較することと、セルが比較の結果により、上りチャネルと下りチャネルのパラメータ差を計算することとを含む。
【００１８】
セルが各アクセスポイントの一つ以上のアンテナポートの上りチャネルのパラメータ及び各アクセスポイントの一つ以上のアンテナポートの下りチャネルのパラメータにより、上りチャネルと下りチャネルのパラメータ差を計算することは、セルが各アクセスポイントに対して一つの上りチャネルと下りチャネルのパラメータ差のみを計算することを含む。
【００１９】
セルが下りチャネルを測定するようにＵＥを配置することは、マルチアクセスポイントがすでに自分校正が行われた場合、セルがマルチアクセスポイントのあらゆるアンテナポートにおける一つ以上のアンテナポートの下りチャネルを測定するようにＵＥを配置することを含む。
【００２０】
セルがＵＥをマルチアクセスポイントのあらゆるアンテナポートにおける一つ以上のアンテナポートの下りチャネルを測定することは、セルがプリコーディング情報を測定するようにＵＥを配置することを含み、プリコーディング情報はＵＥが自身と複数のアクセスポイントとの間のチャネルにより計算して得られるもので、チャネルは複数のアクセスポイントが送信した下り基準信号により測定して得られるものである。
【００２１】
下りチャネルのパラメータにより、マルチアクセスポイントの上りチャネルと下りチャネルのパラメータ差を計算する前に、セルが上り基準信号によりＵＥとマルチアクセスポイントとの間の上りチャネルのパラメータを得ることと、セルが上りチャネルと、チャネルの異質性により下りチャネルのパラメータを得ることとを含む。
【００２２】
下りチャネルのパラメータにより、マルチアクセスポイントの上りチャネルと下りチャネルのパラメータ差を計算することは、プリコーディング情報と、チャネル異質性を利用して得られた下りチャネルのパラメータにより、マルチアクセスポイントの上りチャネルと下りチャネルのパラメータ差を計算することを含む。
【００２３】
下りチャネルのパラメータにより、マルチアクセスポイントの上りチャネルと下りチャネルとのパラメータ差を計算することは、可能なパラメータ差の範囲内から、第一パラメータ差と第二パラメータ差を選択して、第一パラメータ差に対応する第一校正後の下りチャネルと第二パラメータ差に対応する第二校正後の下りチャネルとをそれぞれ得るステップＡと、第一校正後の下りチャネルと第二校正後の下りチャネルの中で、プリコーディング情報に基づき、第一校正後の下りチャネルが真実の下りチャネルに近い下りチャネルを決定するステップＢと、第一パラメータ差を、計算するパラメータ差として決定するステップＣと、ステップＡ乃至ステップＣを繰り返して、計算するパラメータ差を得ることとを含む。
【００２４】
セルがプリコーディング情報を測定するように配置することは、セルがＵＥをＰＭＩを測定するようにＵＥを配置することを含み、ＰＭＩはＵＥが自身と同一セルの複数のアクセスポイントとの間のチャネルにより計算して得られるもので、チャネルは複数のアクセスポイントが送信したＣＲＳにより測定して得られるものである。
【００２５】
下りチャネルのパラメータにより、マルチアクセスポイントの上りチャネルと下りチャネルとのパラメータ差を計算する前に、セルが上り傍受信号ＳＲＳによりＵＥとマルチアクセスポイントとの間の上りチャネルのパラメータを得ることと、セルが、上りチャネルと、チャネルの異質性により下りチャネルのパラメータを得ることとを含む。
【００２６】
下りチャネルのパラメータにより、マルチアクセスポイントの上りチャネルと下りチャネルとのパラメータ差を計算することは、ＰＭＩと、チャネル異質性を利用して得られた下りチャネルのパラメータにより、マルチアクセスポイントの上りチャネルと下りチャネルとのパラメータ差を計算することを含む。
【００２７】
下りチャネルのパラメータにより、マルチアクセスポイントの上りチャネルと下りチャネルとのパラメータ差を計算することは、可能なパラメータ差の範囲から、第一パラメータ差と第二パラメータ差を選択して、第一パラメータ差に対応する第一校正後の下りチャネルと第二パラメータ差に対応する第二校正後の下りチャネルとをそれぞれ得るステップＡと、第一校正後の下りチャネルと第二校正後の下りチャネルの中で、ＰＭＩに基づき、第一校正後の下りチャネルが真実の下りチャネルに近い下りチャネルを決定するステップＢと、第一パラメータ差を計算するパラメータ差として決定するステップＣと、ステップＡ乃至ステップＣを繰り返して、計算するパラメータ差を得ることとを含む。
【００２８】
本発明の実施例はマルチアクセスポイント校正装置を提供する。当該装置は、ユーザ機器ＵＥからフィードバックされた下りチャネルのパラメータを受信する受信モジュールと、下りチャネルパラメータにより上りチャネルと下りチャネルとのパラメータ差を計算する計算モジュールと、パラメータ差によりマルチアクセスポイントに対して校正を行う校正モジュールとを含む。
【００２９】
本発明の実施例によると、セルが異なるアクセスポイント間のパラメータ差を正確に計算し、そして当該パラメータ差によりマルチアクセスポイントに対して校正を行うことで、アクセスポイント間での良好なコヒーレント送信を確保でき、さらにシステム性能を確保することができる。
【図面の簡単な説明】
【００３０】
以下に記載の図面は、本発明をさらに理解するために提供され、本願の一部を構成し、本発明の好適の実施例及びその説明は本発明を解釈するものであり、本発明を限定するものではない。
【図１】本発明の実施例に係わるマルチアクセスポイントの校正方法を示すフローチャート図である。
【図２】本発明の実施例に係わるマルチアクセスポイントの校正装置の構造ブロック図である。
【発明を実施するための形態】
【００３１】
なお、本願の実施例および実施例の特徴は、衝突がない場合には、互いに組み合わせることが可能である。以下、図面を参照し、実施例を結び合わせて、本発明を詳しく説明する。
【００３２】
図１は本発明の実施例に係わるマルチアクセスポイントの校正方法を示すフローチャート図であり、図１に示すように、当該方法は以下のようなステップＳ１０２〜ステップＳ１０６を含む。
ステップＳ１０２について、セルが、ＵＥからフィードバックされたマルチアクセスポイントの下りチャネルの、時間、位相、幅、時間と幅、及び位相と幅の中の１つを含むパラメータを受信する。
ステップＳ１０４について、下りチャネルのパラメータにより、マルチアクセスポイントの上りチャネルと下りチャネルとのパラメータ差を計算する。
ステップＳ１０６について、パラメータ差により、マルチアクセスポイントに対して校正を行う。
【００３３】
関連技術において、異なるアクセスポイントが共同で送信したデ−タは、互いにパラメータ（その中の重要なパラメータは位相である）差があるので、アクセスポイント間でのコヒーレント送信が順調に行われず、さらにシステム性能の低減になってしまう。本発明の実施例において、セルが異なるアクセスポイント間のパラメータ差を正確に計算して、当該パラメータ差によりマルチアクセスポイントに対して校正を行うことで、アクセスポイント間での良好なコヒーレント送信を確保できるとともに、システム性能をより確保することができる。
【００３４】
異なるアクセスポイント間のパラメータ差を正確に計算するために、本発明は、さらにＵＥが下りチャネルを測定することを正確に配置しなければならない。以下、マルチアクセスポイントが自分校正を行っていない場合とマルチアクセスポイントが自分校正を行っていた場合から、それぞれＵＥを下りチャネルを測定するように配置することについて詳しく説明する。
【００３５】
（１）マルチアクセスポイントが自分校正を行っていない場合、セルが当該異なるアクセスポイントのあらゆるアンテナポートの下りチャネルのパラメータ差を正確に計算して校正する。よって、セルが当該あらゆるアンテナポートの下りチャネルを測定するようにＵＥを配置して、当該ＵＥによりコードブックに定量化する、或いは下りチャネル行列自身をフィードバックする、もしくは下りチャネル行列の主な特徴情報をフィードバックすることによって、あらゆるアンテナポートの下りチャネルのパラメータをセルにフィードバックする。
【００３６】
また、マルチアクセスポイントが自分校正を行っていない場合、セルがあらゆるアンテナポートの上りチャネルのパラメータを測定する。そして、セルがあらゆるアンテナポートの上りチャネルのパラメータとあらゆるアンテナポートの下りチャネルのパラメータにより、上りチャネルと下りチャネルとのパラメータ差を計算する。
【００３７】
（２）マルチアクセスポイントがすでに自分校正を行っていた場合、セルが当該異なるアクセスポイントの各アクセスポイントの中で、一部のアンテナポートを選択して下りチャネルのパラメータ差の正確的な計算をして校正すればよい。よって、セルがあらゆるアンテナポートにおける一つ以上のアンテナポートの下りチャネルを測定するようにＵＥを配置する。そして、当該ＵＥによって、セルにあらゆるアンテナポートの下りチャネルのパラメータをフィードバックする。
【００３８】
なお、セルがＵＥを、あらゆるアンテナポートにおける複数のアンテナポートの下りチャネルを測定するように配置する場合、当該ＵＥにより、コードブックに定量化する、或いは下りチャネル行列自身をフィードバックする、もしくは下りチャネル行列の主な特徴情報をフィードバックすることによって、セルにあらゆるアンテナポートの下りチャネルのパラメータをフィードバックする。セルがあらゆるアンテナポートにおける一つのアンテナポートの下りチャネルを測定するようにＵＥを配置する場合、当該ＵＥによって、下りチャネル行列自身をフィードバックする、或いは下りチャネル行列の主な特徴情報をフィードバックする、もしくは単一ポートの位相値をフィードバックすることによって、セルにアンテナポートの下りチャネルのパラメータをフィードバックする。
【００３９】
また、マルチアクセスポイントがすでに自分校正を行っていた場合、セルが一つ以上のアンテナポートの上りチャネルのパラメータを測定する。そして、セルが一つ以上のアンテナポートの上りチャネルのパラメータ及び一つ以上のアンテナポートの下りチャネルのパラメータにより、上りチャネルと下りチャネルのパラメータ差を計算する。以下、当該測定ステップと計算ステップについて、それぞれ詳しく説明する。
【００４０】
上記測定ステップにおいて、セルが下りチャネルの下り信号に近接する時刻に送信された信号を上りチャネルの上り信号とし、セルが当該上り信号を測定して、各アクセスポイントの一つ以上のアンテナポートの上りチャネルのパラメータを得る。セルが下り信号の隣接する上がり・下りスロットの基準信号を上り信号とすることがより好ましい。また、上記測定ステップにおいて、セルが同一時刻で同一ＵＥが各アクセスポイントの一つ以上のアンテナポートにおける上りチャネルのパラメータを測定する。
【００４１】
上記測定ステップにおいて、各アクセスポイントが上りチャネルに対する処理方法が同じである。
【００４２】
上記計算ステップにおいて、ＵＥが下りチャネル行列自身或いは下りチャネル行列の主な特徴情報をフィードバックすることにより、アンテナポートの下りチャネルのパラメータをフィードバックする場合、セルが各アクセスポイントの一つ以上のアンテナポートを指示するための上りチャネルのパラメータの上りチャネル行列を転置して、同等な下りチャネル行列を得て、セルが同等な下りチャネル行列とＵＥがフィードバックした下りチャネル行列とを比較して、比較の結果により、上りチャネルと下りチャネルのパラメータ差を計算する。或いは、ＵＥがコードブックに定量化することにより、アンテナポートの下りチャネルのパラメータをフィードバックする場合、セルが各アクセスポイントの一つ以上のアンテナポートを指示するための上りチャネル行列を転置して、同等な下りチャネル行列を得て、セルが同等な下りチャネル行列に基づき定量化したコードブックを計算し、セルがＵＥによりフィードバックされたコードブックとセルにより同等な下りチャネル行列に基づき計算して得られるコードブックとを比較して、比較の結果により、上りチャネルと下りチャネルとのパラメータ差を計算する。
【００４３】
上記計算ステップにおいて、セルが各アクセスポイントに対して一つの上りチャネルと下りチャネルとのパラメータ差のみを計算する。
【００４４】
以下、実例を結合して、本発明の実施例の実現するプロセスについて詳しく説明する。
【００４５】
説明を簡単にするために、アクセスポイントがＮ個あるとして、アクセスポイントｉ，ｉ=１，２，…，Ｎと記載し、且つアクセスポイント１がサービスセルであり、他のアクセスポイントが協調集合における他の協調セルであるとする。各アクセスポイントにアンテナポートがＭｉ個あり、ｉ=１，２，…，Ｎで、ＣｏＭＰＵＥにアンテナがＬ個ある。
2014531171.tif 000004
がｋ個目のアクセスポイントにおけるｊ個目のアンテナポートとＵＥのｉ個目の受信アンテナとの下りチャネルの周波数領域チャネルレスポンスで、
2014531171.tif 000005
が対応する位相値であり、j=１，２，…，Ｍｋ、ｉ=１，２，…，Lであると定義し、
2014531171.tif 000006
はｋ個目のアクセスポイントにおけるｉ個目のアンテナポートとＵＥのｊ個目の送信アンテナとの上りチャネル周波数領域のチャネルレスポンスで、
2014531171.tif 000007
は対応する位相値であり、ｉ=１，２，…，Ｍｋ、ｊ=１，２，…，Lと定義する。
【００４６】
なお、下記好適な実施例は位相のみを例として説明するが、実際の応用において、時間、幅、時間と幅、位相と幅等のパラメータを採用する技術案もすべて本発明の保護範囲に含まれる。
【００４７】
好適な実施例１
本好適な実施例１には、各ＲＲＵ/アクセスポイントがアンテナ自分校正を行わない場合を説明する。
【００４８】
（１）サービスセルは各ＲＲＵ/アクセスポイントのアンテナポートと位相フィードバックの粒度を測定するようにＵＥを配置して、対応するアンテナポートで下り基準信号を送信する。
【００４９】
サービスセルが各ＲＲＵ/アクセスポイントのあらゆるアンテナポートを測定するようにＵＥを配置する。
【００５０】
上記配置された位相のフィードバックした周波数領域粒度は、ＲＥ（Ｒｅｓｏｕｒｃｅ  Ｅｌｅｍｅｎｔ）、又はＲＢ（Ｒｅｓｏｕｒｃｅ  Ｂｌｏｃｋ）、或いはサブバンド（ＳｕｂＢａｎｄ）、もしくはセルシステム全体の帯域幅、或いは他の周波数領域単位である。
【００５１】
上記下り基準信号は、ＣＳＩ−ＲＳ（Ｃｈａｎｎｅｌ  Ｓｔａｔａｕｓ  Ｉｎｆｏｒｍａｔｉｏｎ  Ｒｅｆｅｒｅｎｃｅ  Ｓｉｇｎａｌ）であり、各ＲＲＵ/アクセスポイント間が周波数分割、又はコード分割、或いは時間分割、もしくは前記３種類の方式を組み合わせた方式により多重送信を行う。
【００５２】
（２）サービスセルの配置により、ＵＥがアンテナを一つ選択して、１個目の受信アンテナとして、各ＲＲＵ/アクセスポイントとの間の周波数領域チャネルレスポンスを受信し測定して、上記周波数領域チャネルレスポンスの位相値をサービスセルにフィードバックする。
【００５３】
サービスセルの配置により、ＵＥが、１個目の受信アンテナと各ＲＲＵ/アクセスポイントのあらゆるアンテナポート間の周波数領域チャネルレスポンス
2014531171.tif 000008
を測定して、その位相値
2014531171.tif 000009
を計算し、ｋ＝１，２…Ｎで、ｊ＝１，２，…Ｍｋである。
【００５４】
上記フィードバックされた位相値は、５ｂｉｔフィードバックで、定量化する粒度が３６０度３２=１１．２５度などのような等間隔定量化を採用することができる。
【００５５】
（３）ＵＥがｌ個目のアンテナで基準信号を送信する。各ＲＲＵ/アクセスポイントはサービスセルの配置により、上記基準信号を受信し、周波数領域チャネルレスポンスの位相値を計算する。
【００５６】
上記サービスセルと各ＲＲＵ/アクセスポイントとの間のインターフェースはＸ２インターフェースであってもよく、他のインターフェースであってもよい。
【００５７】
上記基準信号は傍受基準信号（Ｓｏｕｎｄｉｎｇ  Ｒｅｆｅｒｅｎｃｅ  Ｓｉｇｎａｌ、ＳＲＳと略称）であっても良い。
【００５８】
サービスセルの配置により、各ＲＲＵ/アクセスポイントがあらゆるアンテナポートにおける周波数領域チャネルレスポンス
2014531171.tif 000010
を測定し、その位相値
2014531171.tif 000011
を計算して、ｋ=１，２，…，Ｎ、ｊ=１，２，…，Ｍｋである。
【００５９】
（４）サービスセルが、ＵＥからフィードバックされた各ＲＲＵに対応する下りチャネル位相と、セルが上りチャネル行列測定に基づき計算した位相により、それぞれ各ＲＲＵ/アクセスポイントの上がり・下りチャネルの非可逆誤差を計算する。
【００６０】
上記サービスセルと各ＲＲＵ/アクセスポイントとの間のインターフェースはＸ２インターフェースであってもよく、他のインターフェースであってもよい。
【００６１】
サービスセルの配置により、各ＲＲＵ/アクセスポイント、各アンテナポートが上がり・下りチャネルの非可逆誤差を計算する方法は
2014531171.tif 000012
，ｋ=１，２，…，Ｎであっても良い。
【００６２】
好適な実施例２
本好適な実施例２には、各ＲＲＵ/アクセスポイントがアンテナ自分校正を行っていた場合を説明する。非コードブックに基づく実施例である。
【００６３】
（１）各ＲＲＵ/アクセスポイントがアンテナ自分校正を行う。
上記自分校正の方法は、既存の校正ネットワークに基づく方法、或いは非校正ネットワークに基づく方法を採用することができる。
【００６４】
（２）サービスセルが、あるＣｏＭＰ  ＵＥを、補助校正をするようにトリガーして、ＵＥにより測定した時刻と回数、及び測定した各ＲＲＵ/アクセスポイントのアンテナポートと位相によりフィードバックした粒度を配置する。
【００６５】
上記トリガー方式は、サービスセルが一回トリガーして、ＵＥがその次の一つの配置の測定時刻に測定してフィードバックすることになっている。
【００６６】
上記トリガー方式は、サービスセルが一回トリガーして、ＵＥがその次にＮ個の配置の測定時刻に測定してフィードバックするというようになってもよい。
【００６７】
サービスセルがＵＥを、各ＲＲＵ/アクセスポイントの中の一つのアンテナポートを測定するように配置し、当該アンテナポートは、各ＲＲＵ/アクセスポイントの一番目のアンテナポートとすることが好ましい。
【００６８】
サービスセルがＵＥを、各ＲＲＵ/アクセスポイントのあらゆるアンテナポートを測定するように配置してもよい。
【００６９】
サービスセルがＵＥを、各ＲＲＵ/アクセスポイントの一部のアンテナポートを測定するように配置し、当該アンテナポートは各ＲＲＵ/アクセスポイントの前からＮｉ個目（ｉ=１，２，…Ｎ）のアンテナポートであることとする。
【００７０】
上記配置された位相によりフィードバックした周波数領域粒度は、ＲＥ（Ｒｅｓｏｕｒｃｅ  Ｅｌｅｍｅｎｔ）、又はＲＢ（Ｒｅｓｏｕｒｃｅ  Ｂｌｏｃｋ）、或いはサブバンド（ＳｕｂＢａｎｄ）、もしくはセルシステム全体の帯域幅、或いは他の周波数領域単位だる。
【００７１】
（３）各ＲＲＵ/アクセスポイントは、上記ステップ２において、サービスセルが配置した測定時刻とポートで下り基準信号を送信する。
【００７２】
上記下り基準信号は、ＣＳＩ−ＲＳ（Ｃｈａｎｎｅｌ  Ｓｔａｔａｕｓ  Ｉｎｆｏｒｍａｔｉｏｎ  Ｒｅｆｅｒｅｎｃｅ  Ｓｉｇｎａｌ）であり、各ＲＲＵ/アクセスポイント間が周波数分割、又はコード分割、或いは時間分割、もしくは前記３種類の方式を組み合わせた方式により多重送信を行う。
【００７３】
（４）サービスセルの配置により、ＵＥがアンテナを一つ選択して、１個目の受信アンテナとして、各ＲＲＵ/アクセスポイントとの間の周波数領域チャネルレスポンスを受信し測定して、上記周波数領域チャネルレスポンスの位相値をサービスセルにフィードバックする。
【００７４】
サービスセルの配置により、ＵＥがｌ個目の受信アンテナと各ＲＲＵ/アクセスポイントの一番目のアンテナポートとの間の周波数領域チャネルレスポンス
2014531171.tif 000013
を測定し、その位相値
2014531171.tif 000014
（ｋ=１，２，…，Ｎ）を計算することが好ましい。
【００７５】
サービスセルの配置により、ＵＥがｌ個目の受信アンテナと各ＲＲＵ/アクセスポイントのあらゆるアンテナポートとの間の周波数領域チャネルレスポンス
2014531171.tif 000015
を測定し、その位相値
2014531171.tif 000016
（ｋ=１，２，…，Ｎ）を計算することが好ましい。
【００７６】
サービスセルの配置により、ＵＥがｌ個目の受信アンテナと各ＲＲＵ/アクセスポイントの一部のアンテナポートとの間の周波数領域チャネルレスポンス
2014531171.tif 000017
を測定し、その位相値
2014531171.tif 000018
（ｋ=１，２，…，Ｎ）を計算することが好ましい。
【００７７】
上記フィードバックされた位相値は、５ｂｉｔでフィードバックし、定量化する粒度が３６０度３２=１１．２５度であるなどのような等間隔定量化を採用することができる。
【００７８】
（５）、ＵＥがｌ個目のアンテナで基準信号を送信する。サービスセルが上記ステップ２においてＵＥに対して配置した情報を各ＲＲＵ/アクセスポイントに送信し、各ＲＲＵ/アクセスポイントはサービスセルの配置により、上記基準信号を受信し、周波数領域チャネルレスポンスの位相値を計算する。
【００７９】
上記サービスセルと各ＲＲＵ/アクセスポイントとの間のインターフェースはＸ２インターフェースであってもよく、他のインターフェースであってもよい。
【００８０】
上記基準信号は傍受基準信号（Ｓｏｕｎｄｉｎｇ  Ｒｅｆｅｒｅｎｃｅ  Ｓｉｇｎａｌ、ＳＲＳと略称）であっても良い。
【００８１】
サービスセルの配置により、各ＲＲＵ/アクセスポイントが１個目の受信アンテナポートにおける周波数領域チャネルレスポンス
2014531171.tif 000019
を測定し、その位相値
2014531171.tif 000020
（ｋ=１，２，…，Ｎ）を計算することが好ましい。
【００８２】
サービスセルの配置により、各ＲＲＵ/アクセスポイントがあらゆるアンテナポートにおける周波数領域チャネルレスポンス
2014531171.tif 000021
を測定し、その位相値
2014531171.tif 000022
（ｋ=１，２，…，Ｎ、ｊ=１，２，…，Ｍｋ）を計算してもよい。
【００８３】
サービスセルの配置により、各ＲＲＵ/アクセスポイントが一部のアンテナポートにおける周波数領域チャネルレスポンス
2014531171.tif 000023
を測定し、その位相値
2014531171.tif 000024
（ｋ=１，２，…，Ｎ、ｊ=１，２，…，Ｎｋ）を計算してもよい。
【００８４】
（６）サービスセルがＵＥからフィードバックされた各ＲＲＵに対応する下りチャネル位相と、セルが上りチャネル行列測定に基づき計算した位相により、それぞれ各ＲＲＵ/アクセスポイントの上がり・下りチャネルの非可逆誤差を計算する。
【００８５】
上記ステップ（１）において、自分校正を行ったので、各ＲＲＵが一つの上がり・下りチャネルの非可逆誤差を計算すればよい。
【００８６】
上記サービスセルと各ＲＲＵ/アクセスポイントとの間のインターフェースはＸ２インターフェースであってもよく、他のインターフェースであってもよい。
【００８７】
サービスセルの配置により、各ＲＲＵ/アクセスポイントが上がり・下りチャネルの非可逆誤差を計算する方法は
2014531171.tif 000025
2014531171.tif 000026
（ｋ=１，２，…，Ｎ）であることが好ましい。
【００８８】
サービスセルの配置により、各ＲＲＵ/アクセスポイントが上がり・下りチャネルの非可逆誤差を計算する方法は
2014531171.tif 000027
（ｋ=１，２，…，Ｎ）であってもよい。
【００８９】
サービスセルの配置により、各ＲＲＵ/アクセスポイントが上がり・下りチャネルの非可逆誤差を計算する方法は
2014531171.tif 000028
（ｋ=１，２，…，Ｎ）であってもよい。
【００９０】
（７）各ＲＲＵ/アクセスポイントの計算によって得られる上がり・下りチャネルの非可逆誤差に基づき、各ＲＲＵの送信信号のパラメータを調整する。
【００９１】
好適な実施例３
本好適な実施例３には、各ＲＲＵ/アクセスポイントがアンテナ自分校正を行っていた場合を説明する。コードブックに基づく実施例である。
【００９２】
（１）各ＲＲＵ/アクセスポイントがアンテナ自分校正を行う。
上記自分校正の方法は、既存の校正ネットワークに基づく方法、或いは非校正ネットワークに基づく方法を採用することができる。
【００９３】
（２）サービスセルがあるＣｏＭＰ  ＵＥを、補助校正をするようにトリガーして、ＵＥにより測定した時刻と回数、及び測定した各ＲＲＵ/アクセスポイントのアンテナポートと位相によりフィードバックした粒度を配置する。
【００９４】
上記トリガー方式は、サービスセルが一回トリガーして、ＵＥがその次の一つの配置の測定時刻に測定してフィードバックすることである。
【００９５】
上記トリガー方式は、サービスセルが一回トリガーして、ＵＥがその次のＮ個の配置の測定時刻に測定してフィードバックすることであってもよい。
【００９６】
サービスセルが各ＲＲＵ/アクセスポイントの中の一つのアンテナポートを測定するようにＵＥを配置し、当該アンテナポートはＲＲＵ/アクセスポイントの一番目のアンテナポートとすることが好ましい。
【００９７】
サービスセル配置ＵＥが、各ＲＲＵ/アクセスポイントのあらゆるアンテナポートを測定してもよい。
【００９８】
サービスセル配置ＵＥが各ＲＲＵ/アクセスポイントの一部のアンテナポートを測定して、各ＲＲＵ/アクセスポイントの前からＮｉ個目のアンテナポートとして、ｉ=１，２，Ｎである。
【００９９】
上記配置された位相のフィードバックした周波数領域粒度は、ＲＥ（Ｒｅｓｏｕｒｃｅ  Ｅｌｅｍｅｎｔ）、又はＲＢ（Ｒｅｓｏｕｒｃｅ  Ｂｌｏｃｋ）、或いはサブバンド（ＳｕｂＢａｎｄ）、もしくはセルシステム全体の帯域幅、或いは他の周波数領域単位だる。
【０１００】
（３）各ＲＲＵ/アクセスポイントは、上記ステップ２において、サービスセルが配置した測定時刻とポートで下り基準信号を送信する。
【０１０１】
上記下り基準信号は、ＣＳＩ−ＲＳ（Ｃｈａｎｎｅｌ  Ｓｔａｔａｕｓ  Ｉｎｆｏｒｍａｔｉｏｎ  Ｒｅｆｅｒｅｎｃｅ  Ｓｉｇｎａｌ）であり、各ＲＲＵ/アクセスポイント間が周波数分割、又はコード分割、或いは時間分割、もしくは前記３種類の方式を組み合わせた方式により多重送信を行う。
【０１０２】
（４）サービスセルの配置により、ＵＥが一つ以上の受信アンテナを選択し、一つの受信アンテナを選択することが好ましい。ここでは、一番目の受信アンテナを例として（より多くの受信アンテナを採用する場合、そのステップが同じ）、各ＲＲＵ/アクセスポイントとの間の周波数領域チャネルレスポンスを受信し測定する。上記周波数領域チャネルレスポンスに基づき、プリコーディングべクトルを計算し選択して、セルにフィードバックする。測定と計算の実現方式は以下のとおりである。
【０１０３】
サービスセルの配置により、ＵＥがｌ個目の受信アンテナと各ＲＲＵ/アクセスポイントの一番目のアンテナポートとの間の周波数領域チャネルレスポンス
2014531171.tif 000029
を測定し、その位相値
2014531171.tif 000030
（ｋ=１，２，…，Ｎ）を計算することが好ましい。或いは、
サービスセルの配置により、ＵＥがｌ個目の受信アンテナと各ＲＲＵ/アクセスポイントのあらゆるアンテナポートとの間の周波数領域チャネルレスポンス
2014531171.tif 000031
を測定し、上記周波数領域チャネルレスポンスに基づきプリコーディングべクトルを計算し選択して、サービスセルにフィードバックしてもよい。或いは、
サービスセルの配置により、ＵＥがｌ個目の受信アンテナと各ＲＲＵ/アクセスポイントの一部のアンテナポートとの間の周波数領域チャネルレスポンス
2014531171.tif 000032
を測定し、上記周波数領域チャネルレスポンスに基づきプリコーディングべクトルを計算し選択して、サービスセルにフィードバックすしてもよい。
【０１０４】
上記プリコーディングべクトルは、予め定義したコードブック集合から選択することができる、即ち対応するプリコーディング指示（Ｐｒｅｃｏｄｉｎｇ  Ｍａｔｒｉｘ  Ｉｎｄｉｃａｔｏｒ、ＰＭＩと略称）を選択して、ＰＭＩをフィードバックして、その対応するプリコーディングべクトルを表す。コードブック集合は、コードブックに基づきマルチ入力マルチ出力（Ｍｕｌｔｉ−Ｉｎｐｕｔ−Ｍｕｌｔｉ−Ｏｕｔｐｕｔ）フィードバックするコードブック集合を再利用することができる。
【０１０５】
（５）ステップ（４）でＵＥを一つの受信アンテナを採用するように配置する場合、ＵＥが当該アンテナで基準信号を送信するが、ステップ（４）でより多くの受信アンテナを採用するように配置する場合、ＵＥが対応する複数のアンテナで基準信号を送信する。サービスセルが上記ステップ２においてＵＥに対して配置した情報を各ＲＲＵ/アクセスポイントに送信し、各ＲＲＵ/アクセスポイントがサービスセルの配置により、上記基準信号を受信し、周波数領域チャネルレスポンスの位相値を計算して、上記周波数領域チャネルレスポンスに基づきプリコーディングべクトルを計算し選択する。
【０１０６】
上記サービスセルと各ＲＲＵ/アクセスポイントとの間のインターフェースはＸ２インターフェースであってもよく、他のインターフェースであってもよい。
【０１０７】
上記基準信号は傍受基準信号（Ｓｏｕｎｄｉｎｇ  Ｒｅｆｅｒｅｎｃｅ  Ｓｉｇｎａｌ、ＳＲＳと略称）であっても良い。
【０１０８】
（６）サービスセルがＵＥからフィードバックされた各ＲＲＵに対応する下りチャネル位相又はＰＭＩと、セルが上りチャネル行列に基づき測定し計算した位相又はＰＭＩにより、それぞれ各ＲＲＵ/アクセスポイントの上がり・下りチャネルの非可逆誤差を計算する。
【０１０９】
上記サービスセルと各ＲＲＵ/アクセスポイントとの間のインターフェースはＸ２インターフェースであってもよく、他のインターフェースであってもよい。
上記ステップ（１）において、自分校正を行ったので、各ＲＲＵが一つの上がり・下りチャネルの非可逆誤差を計算すればよい。
【０１１０】
（７）各ＲＲＵ/アクセスポイントの計算によって得られる上がり・下りチャネルの非可逆誤差に基づき、各ＲＲＵの送信信号のパラメータを調整する。
【０１１１】
好適な実施例４
本好適な実施例４には、各ＲＲＵ/アクセスポイントがアンテナ自分校正を行っていた場合を説明する。複数のアクセスポイントの共同プリコーディングに基づく実施例である。２つのＲＲＵを例として、ＲＲＵ１とＲＲＵ２と設定する。２つ以上のＲＲＵの場合についても適用する。実施例において、ＲＲＵとアクセスポイントとは、同一概念である。
【０１１２】
ステップ１に、各ＲＲＵ/アクセスポイントがアンテナ自分校正を行う。
上記自分校正の方法は、既存の校正ネットワークに基づく方法、或いは非校正ネットワークに基づく方法を採用することができる。
ステップ２に、セルが、いずれか一つ或いは複数のＵＥを、補助校正をするように配置する。
【０１１３】
以下、方案１と方案２を介し、マルチアクセスポイントの校正方法についてそれぞれ詳しく説明する。
方案１
【０１１４】
（ａ）複数のＲＲＵ共同のプリコーディング情報をフィードバックするようにＵＥを配置し、複数のＲＲＵが同じセルからのＲＲＵでもよいし、異なるセルからのＲＲＵでもよい。プリコーディング情報は、複数のＲＲＵの全体のプリコーディング情報（例えば全体コードブックＰＭＩ_ＪＴ）或いは単一ＲＲＵのプリコーディング情報（例えば各ＲＲＵの独立コードブック）にＲＲＵ間の関連情報（例えばＲＲＵ間の位相差情報ＰＣＩ）が追加されるものである。
【０１１５】
（ｂ）ＵＥが測定した下り基準信号（例えばＣＳＩ−ＲＳ）リソース情報を配置する。当該ＣＳＩ−ＲＳリソース情報は、目標ＲＲＵの対応するＣＳＩ−ＲＳリソース情報及び/又はＲＲＵアイデンティティ及び/又はセルアイデンティティを含む。
【０１１６】
（ｃ）測定を行う時、ＵＥを、Ｒａｎｋ=１とすることに基づきＰＭＩ測定をするように配置することをデフォルトすることが好ましい。しかし、スケジューリングのターゲットである通常のＲａｎｋ及びＰＭＩ測定はこれと異なってもよく、実際のチャネル状況により通常どおりに配置することができる。
【０１１７】
（ｄ）セル間/ｅＮＢ/ＲＲＵ間初位相差及び/又は幅差測定という新しい測定イベントを追加することがが好ましい。
（１）単一ＵＥ或いはＵＥグループを配置して測定を行う。
（２）ＵＥが測定したＣＳＩ−ＲＳリソース情報を配置する。ターゲットＲＲＵの対応するＣＳＩ−ＲＳリソース情報及び/又はＲＲＵアイデンティティ及び/又はアイデンティティを含む可能である。２つのＲＲＵの差を測定することが好ましい。
（３）下りサービスがないＵＥであってもスケジューリングされて測定を行うことができる。
（４）測定を行う時、ＵＥを、Ｒａｎｋ=１とすることに基づきＰＭＩ測定を行うように配置することをデフォルトすることが好ましい。しかし、スケジューリングのターゲットである通常のＲａｎｋ及びＰＭＩ測定はこれと異なって、実際のチャネル状況により通常どおりに配置することができる。
（５）トリガー及び測定方式：イベントトリガー、周期/一回毎に報告/複数回毎に報告などがある。
【０１１８】
（ｅ）ＵＥの選択条件は、チャネル衰弱に基づき、２つの目標ＲＲＵを受信する信号が強いが、他のＲＲＵを受信する信号が弱いＵＥを選択する。信号が弱いＲＲＵは当該ＵＥがＰＭＩを計算することに対する影響が小い。
【０１１９】
2014531171.tif 000033
【０１２０】
2014531171.tif 000034
【０１２１】
2014531171.tif 000035
【０１２２】
2014531171.tif 000036
【０１２３】
2014531171.tif 000037
【０１２４】
2014531171.tif 000038
【０１２５】
2014531171.tif 000039
【０１２６】
方式７、ＲＲＵ１とＲＲＵ２との間の差はシステム偏差であるので、即ち上記ステップ（２）のＵＥ選択条件を満たしたＵＥであれば、複数を同時に選択することができる。上記方案は、よりよい推定効果が得られるように、複数のＵＥに対して同時に測定し推定することができる。
【０１２７】
2014531171.tif 000040
【０１２８】
2014531171.tif 000041
【０１２９】
2014531171.tif 000042
【０１３０】
2014531171.tif 000043
【０１３１】
2014531171.tif 000044
【０１３２】
2014531171.tif 000045
【０１３３】
2014531171.tif 000046
【０１３４】
2014531171.tif 000047
【０１３５】
方式７、ＲＲＵ１とＲＲＵ２の間の差はシステム偏差であるので、即ち上記ステップ（２）のＵＥ選択条件を満たしたＵＥであれば、複数を同時に選択することができる。上記方案は、よりよい推定効果が得られるように、複数のＵＥに対して同時に測定し推定することができる。
【０１３６】
方案２
本方案２は方案１に基づき、プリコーディング情報におけるＰＭＩによりマルチアクセスポイントの校正を行うというさらに改良されたマルチアクセスポイントの校正方法を提供する。
【０１３７】
（ａ）ＵＥを送信モード７或いは送信モード８でＰＭＩをフィードバックするように配置する。当該ＰＭＩはＵＥが同一セルにおける複数のＲＲＵ/アクセスポイントのＣＲＳに基づき測定して取得されるものである。
【０１３８】
（ｂ）ＵＥの選択条件は、チャネル衰弱に基づき、２つのターゲットＲＲＵを受信する信号が強いが、他のＲＲＵを受信する信号が弱いＵＥを選択することである。信号が弱いＲＲＵは当該ＵＥによりＰＭＩを計算することに対する影響が小い。
【０１３９】
2014531171.tif 000048
【０１４０】
2014531171.tif 000049
【０１４１】
2014531171.tif 000050
【０１４２】
2014531171.tif 000051
【０１４３】
2014531171.tif 000052
【０１４４】
2014531171.tif 000053
【０１４５】
2014531171.tif 000054
【０１４６】
2014531171.tif 000055
【０１４７】
ＲＲＵ１とＲＲＵ２の間の差はシステム偏差であるので、即ち上記ステップ（２）のＵＥ選択条件を満たしたＵＥであれば、複数を同時に選択することができる。上記方案は、よりよい推定効果が得られるように、複数のＵＥに対して同時に測定し推定することができる。
【０１４８】
2014531171.tif 000056
【０１４９】
2014531171.tif 000057
【０１５０】
2014531171.tif 000058
【０１５１】
2014531171.tif 000059
【０１５２】
2014531171.tif 000060
【０１５３】
2014531171.tif 000061
【０１５４】
2014531171.tif 000062
【０１５５】
2014531171.tif 000063
【０１５６】
2014531171.tif 000064
【０１５７】
方式７、ＲＲＵ１とＲＲＵ２の間の差はシステム偏差であるので、即ち上記ステップ（２）のＵＥ選択条件を満たしたＵＥであれば、複数を同時に選択することができる。よりよい推定効果が得られるように、上記方案は、複数のＵＥに対して同時に測定し推定することができる。
【０１５８】
上記プリコーディングべクトルは、予め定義したコードブック集合から選択することができる、即ち対応するプリコーディング指示（Ｐｒｅｃｏｄｉｎｇ  Ｍａｔｒｉｘ  Ｉｎｄｉｃａｔｏｒ、ＰＭＩと略称）を選択して、ＰＭＩをフィードバックして、その対応するプリコーディングべクトルを表す。コードブック集合は、コードブックに基づきマルチ入力マルチ出力（Ｍｕｌｔｉ−Ｉｎｐｕｔ−Ｍｕｌｔｉ−Ｏｕｔｐｕｔ）をフィードバックするコードブック集合を再利用することができる。
【０１５９】
ステップ３に、各ＲＲＵ/アクセスポイントの計算によって得られる上がり・下りチャネルの非可逆誤差に基づき、各ＲＲＵの信号を送信するパラメータを調整する。
【０１６０】
なお、図面のフローチャート図に示したステップは、コンピュータによって実行可能なコンピュータシステムにて実行でき、フローチャート図において論理的順番が示されているが、場合によって、ここで示した順番と異なる順番で示した又は説明したステップを実行してもよい。
【０１６１】
本発明の実施例は、上記マルチアクセスポイント校正方法を実現するためのマルチアクセスポイント校正装置を提供する。図２は本発明の実施例に係わるマルチアクセスポイントの校正装置の構造ブロック図であり、図２に示すように、当該装置は受信モジュール２２と計算モジュール２４、及び校正モジュール２６を含む。
【０１６２】
受信モジュール２２は、ＵＥからフィードバックされた下りチャネルのパラメータを受信する。計算モジュール２４は、受信モジュール２２に接続し、受信モジュール２２が受信した下りチャネルパラメータにより上りチャネルと下りチャネルとのパラメータ差を計算する。校正モジュール２６は、計算モジュール２４に接続して、計算モジュール２４が計算したパラメータ差によりマルチアクセスポイントに対して校正を行う。
【０１６３】
上述のように、本発明の上記実施例によると、マルチアクセスポイント校正方法及び装置を提供する。本発明の実施例によると、セルが異なるアクセスポイント間のパラメータ差を正確に計算し、そして当該パラメータ差によりマルチアクセスポイントに対して校正を行うことで、アクセスポイント間での良好なコヒーレント送信を確保でき、さらにシステム性能を確保することができる。
【産業上の利用可能性】
【０１６４】
本発明に係わる技術案は産業上の利用可能性を有する。本発明の実施例において、セルが異なるアクセスポイント間のパラメータ差を正確に計算して、そして当該パラメータ差によりマルチアクセスポイントに対して校正を行うことで、アクセスポイント間での良好なコヒーレント送信を確保できるとともに、さらにシステム性能を確保することができる。
【０１６５】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。このように、本発明は、いずれの特定のハードウェアとソフトウェアの組み合わせにも限定されない。
【０１６６】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
2014531171.tif 000065
【図２】
2014531171.tif 000066
【国際調査報告】
2014531171.tif 000067
2014531171.tif 000068
2014531171.tif 000069
2014531171.tif 000070